(57)【要約】　　　（修正有）【課題】農薬散布作業中の薬液の供給圧変動による供給量の変動を防止する流量調整機能付き手動弁を提供する。【解決手段】貫流路７を有するシリンダ状の本体握り部１の一端に、前記貫流路と連通させるべく液体供給ホ−ス４を接続可能ならしめ、握り部の他端には前記貫流路と連通させるべく液体吐出管を接続可能ならしめるとともに、握り部の貫流路の開閉弁と、この弁を開閉操作するレバー１７とを設けたものにおいて、握り部に前記貫流路の流量の手動調整弁２２を設ける。【選択図】　図１
0003097404.tif 000002
【実用新案登録請求の範囲】
【請求項１】
貫流路を有するシリンダ状の握り部の一端に、前記貫流路と連通させるべく液体供給ホ−スを接続可能ならしめ、前記握り部の他端には前記貫流路と連通させるべく液体吐出管を接続可能ならしめるとともに、前記貫流路の開閉弁と、この弁を開閉操作する手動操作レバーとを設けたものにおいて、前記握り部に前記貫流路の流量調整弁を設けたことを特徴とする手動弁。
【請求項２】
前記握り部の他端の一部を流路開閉部金具によって構成し、この金具内に貫通形成した通水路によって前記貫流路の一部を形成させ、この通水路に前記貫流路の開閉弁を設け、前記流路開閉部金具にその外側面から前記通水路に向かって該通水路と実質上同径またはやや大径の円筒状横断穴を穿設し、この円筒状横断穴を該通水路を直交横切って若干長さ延長形成し、この横断穴に、先端部がニ−ドル弁を形成する弁棒を挿入し、この弁棒に形成した雄ねじ部を前記横断穴に形成した雌ねじ部に螺合させ、前記弁棒が前記流路開閉部金具の外部に突出する突出端によって、前記弁棒を回転させて、前記ニ−ドル弁の前記通水路への突入長さを変えて流量を調整するようにした請求項１の手動弁。
【考案の詳細な説明】
【０００１】
【考案の属する技術分野】
本考案は流量制御機能付き手動弁、特に操作者が流量制御を手元で容易に行うことができ、葉たばこのわき芽を抑制する薬剤を散布する装置に好適に使用できる手動弁に関するものである。
【０００２】
【従来の技術】
たばこ栽培においては、収穫葉に養分が十分に供給されるようにするために、開花前に茎の先端花部を除去しているが、その直後より葉の付け根からわき芽が発生する。このわき芽は養分を消費するため、わき芽抑制剤の散布が行われている。この種の抑制剤は必要以上の量を使用すると植物に有害であり、また葉に飛散付着するとたばこの喫味が悪くなる弊害があるため、定量を低圧無飛散布することが要求されている。
【０００３】
従来、薬剤の定量供給は、薬剤供給源と散布ノズルの間に設けた手動弁を所定の時間開弁したり、あるいは、電磁弁を設けてタイマーにより所定時間開弁することにより、行っているが、いずれの場合も散布作業中に薬液を供給するポンプの圧力が変動すると一旦設定した散布量も変動して効果的な散布が行えない欠点がある。また、ポンプ圧力の調整はポンプの性能によっても大きく影響されるので、その調整による薬剤の散布量と散布度の設定調整に手間取る欠点もある。
【０００４】
【特許文献１】
特開２００２−３６１１３８
【０００５】
【特許文献２】
特許第３０６８０１９号
【０００６】
【考案が解決しようとする課題】
本考案は、散布ノズルからの薬剤の散布量及び散布度の設定、及び散布作業中のポンプ圧の変動その他の原因により変動する薬剤散布量及び散布度の調整を、ポンプの調圧弁を頻繁に操作調整することなく、散布状態を確認しながら微調整できるようにすることを課題とする。
【０００７】
【課題を解決するための手段】
上記課題を解決するために、本考案は、貫流路を有するシリンダ状の本体握り部の一端に、前記貫流路と連通させるべ液体供給ホ−スを接続可能ならしめ、握り部の他端には前記貫流路と連通させるべく液体吐出管を接続可能ならしめるとともに、握り部の貫流路の開閉弁と、この弁を開閉操作する手動操作レバーとを設けたものにおいて、握り部に前記貫流路の流量調整弁を設けたものである。
【０００８】
【考案の実施の形態】
前記握り部の他端の一部を流路開閉部金具によって構成し、この金具内に貫通形成した通水路によって前記貫流路の一部を形成させ、この通水路に前記貫流路の開閉弁を設けることができる。この開閉弁の弁座を前記通水路に設け、その弁体を弁座に対して常時弾圧して弁を閉止させ、その弁棒を前記流路開閉部金具より外方に突出させ、その突出端に係合部を設け、前記流路開閉部金具または握り部の外側に設けた支点に支持させた操作レバーの一端を前記弁棒の係合端に係合させ、前記操作レバーの支点を越えた延長部を握り部の外側で軸方向に沿わせ、握り部を握った操作者の手で、操作レバーを操作できるようにする。
【０００９】
流路開閉部金具の先端には、前記通水路に連通する吐出管を例えばねじによって連結させ、この吐出管の先端には散布ノズルを設けることができる。握り部の後端には、例えばねじによってホースを連結させ、このホースはポンプを介して薬液等の液体供給源に接続する。
【００１０】
流量調整弁は、前記流路開閉部金具において前記通水路に前記開閉弁の上流、または下流において設けたニ−ドル弁よって構成することができる。すなわち、前記流路開閉部金具にその外側面から前記通水路に向かって該通水路と実質上同径またはやや大径の円筒状横断穴を穿設し、この円筒状横断穴を該通水路を直交横切って若干長さ延長形成し、この横断穴に、先端部がニ−ドル弁を形成する弁棒を挿入し、この弁棒に形成した雄ねじ部を前記横断穴に形成した雌ねじ部に螺合させ、前記弁棒が前記流路開閉部金具の外部に突出する突出端に摘みを設け、前記弁棒を回転させて、前記ニ−ドル弁の前記通水路への突入長さを変えて流量を調整する。
【００１１】
【実施例】
図面を参照して実施例を説明する。１はシリンダ状の握り部、２は握り部１の一端（先端）に連接した薬液流路開閉部金具、３は握り部の他端（後端）に連接したホース接続金具、４は薬液供給ホ−ス、５はホース金具で接続金具３に螺着脱される。６は握り部１内の貫流路７に配備されたストレーナー、８は薬液流路開閉部金具２内に貫通形成した通水路で、一端（後端）が握り部内貫流路７と連通し、他端（先端）が螺子９に螺着される吐出管１８（図３）と連通する。１０は通水路８の中間に介設した通水路８を開閉する弁機構、１１はその弁座、１２は弁体、１３は弁体１２を弁座１１に対して常時弾圧して弁を閉止させるばね、１４は弁棒、１５は弁棒１４を流路開閉部金具２より外方に突出させた突出端に設けた係合部、１６は流路開閉部金具２または握り部１の外側に設けた支点、１７は支点１６に支持させた操作レバーで、その一端を弁棒１４の係合部１５に係合させ、操作レバー１７の支点１６を越えた延長部を握り部１の外側で軸方向に沿わせ、握り部１を握った操作者の手で、操作レバー１７を操作できるようにする。
【００１２】
１９は吐出管１８の先端に連設した薬液散布ノズルである。握り部１の後端に接続したホース４は薬液等の液体供給源（図示省略）にポンプ（図示省略）を介して接続する。
【００１３】
２０は流路開閉部金具２にその外側面から通水路８に向かって穿設した該通水路と実質上同径またはやや大径の円筒状横断穴で、この円筒状横断穴２０は通水路８を直交横切って若干長さ延長形成してある。２１は横断穴２０に挿入した弁棒で、先端部がニ−ドル弁２２を形成する。２３は弁棒に形成した雄ねじ部で、横断穴２０に形成した雌ねじ部２４に螺合させ、２５は弁棒２１が流路開閉部金具２の外部に突出する突出端に設けた摘みで、これにより、弁棒２１を回転させて、ニ−ドル弁２２の通水路８への突入長さを変えて流量を調整する。
【００１４】
本手動弁を薬液散布に使用するに際しては、一人または数人の作業者が各自の手動弁を各別のホースにより共通の薬液供給源に接続し、予め薬液供給源のポンプの調圧弁により圧力調整を行う。作業者は手動弁の握り部１を片手で握り、吐出管１８先端のノズル１９をたばこ幹の先端上方に配置し、レバー１７を散布量に応じた一定時間引いて弁１２を開き薬液を撒布する。通常撒布量は５〜３０ｃｃと微量であり、また撒布圧は０．１メガパスカルと微圧であるため、例えば同時に作業を行っている他の散布者が作業を中止または再開したときなどにポンプ圧が上昇または下降する場合などホース内での圧力の変動が散布量に影響する。そこで、ニードル弁２２を摘み２５によって通水路８に進退させて流量を適量に制御調節する。
【００１５】
【考案の効果】
本考案によれば、遠方にあるポンプの調圧弁を頻繁に操作調整することなく、各作業者が散布状態をその場で確認しながら即座に手元で微調整して最適の散布量を散布むらも飛散もなく実現できる。電源が必要な電子機器を必要とせず、構造簡単、故障もなく、低コストで生産出来る。
【００１６】
ノズルに小孔を多数設けた噴板を取りつけることによりシャワー状の散布を行い適量散布による薬液の飛散防止効果を一層高めることができる。
【図面の簡単な説明】
【図１】本考案の一実施例の軸方向縦断面図。
【図２】図１の底面図。
【図３】本考案の手動弁の使用状態を示す概略図。
【符号の説明】
１　　　握り部
２　　　流路開閉部金具
４　　　ホース
７　　　貫流路
８　　　通水路
１０　　弁機構
１１　　弁座
１２　　弁体
１４　　弁棒
１６　　支点
１７　　操作レバー
２０　　横断穴
２１　　弁棒
２２　　ニードル弁
２３　　雄ねじ
２４　　雌ねじ
【図１】
0003097404.tif 000003
【図２】
0003097404.tif 000004
【図３】
0003097404.tif 000005